(57)【特許請求の範囲】
【請求項１】
器具本体と、器具本体上部に設置され受光部を器具本体の表面に臨ませて周囲の明るさを検知する明るさセンサと、器具本体表面の下部に設置され器具本体の周囲を照らす光源と、検知エリア内の人の存否を検知する熱線センサと、前記明るさセンサ及び熱線センサの検知信号に基づいて前記光源を点灯させる点灯制御回路と、商用交流電源を充電源として充電される蓄電池と、前記明るさセンサと前記光源との間の前記器具本体内に設置され前記蓄電池を収納する蓄電池収納部と、商用交流電源の停電を検知すると前記蓄電池によって前記光源を点灯させる停電検知回路とを備え、前記器具本体に枢着され、前記器具本体の表面に開口した前記蓄電池の取り出し部を開閉自在に覆う蓄電池カバー部を設け、前記蓄電池カバー部の内部に、前記蓄電池カバー部の開閉操作により入／切される前記蓄電池の遮断スイッチを設けたことを特徴とする保安灯。
【請求項２】
前記蓄電池収納部を、商用交流電源への接続部から離れた場所に設けたことを特徴とする請求項１記載の保安灯。
【請求項３】
前記蓄電池収容部は、蓄電池が嵌入され、蓄電池を仮保持する仮保持部を有することを特徴とする請求項１記載の保安灯。
【請求項４】
前記器具本体は、ボディと該ボディに被着するカバーとで構成され、前記蓄電池の仮保持部を前記ボディ上に設け、前記仮保持部に収納された蓄電池を、前記ボディと前記カバーとで保持することを特徴とする請求項３記載の保安灯。
【請求項５】
前記蓄電池カバー部を前記器具本体に枢着するヒンジを前記器具本体と一体で設けたことを特徴とする請求項１記載の保安灯。
【請求項６】
前記蓄電池の取り出し部を前記ヒンジから離れた場所に設けたことを特徴とする請求項５記載の保安灯。
【請求項７】
動作を停止して蓄電池の充電を行う状態と、前記点灯制御回路と前記停電検知回路の指示に従い動作する状態と、前記蓄電池を点検する状態とを選択する切替スイッチを備え、前記切替スイッチを前記器具本体の上部中央に設けたことを特徴とする請求項１記載の保安灯。
【発明の詳細な説明】
【０００１】
【発明の属する技術分野】
本発明は、保安灯に関するものである。
【０００２】
【従来の技術】
従来より、周囲の明るさを検知する明るさセンサと、検知エリア内の人の存否を検知する熱線センサとを備え、前記明るさセンサが検知した明るさが所定の明るさ以下の時に前記熱線センサが人を検知すると光源を点灯させ、また、商用交流電源の停電を検知すると蓄電池によって光源を点灯させる保安灯があった。
【０００３】
【発明が解決しようとする課題】
しかしながら、従来の保安灯は、明るさセンサの受光部と光源の位置が近いために、明るさセンサが光源に反応して誤動作する恐れがあった。
【０００４】
本発明は上記問題点に鑑みて為されたものであって、その目的とするところは、明るさセンサの誤動作を低減できる保安灯を提供することにある。
【０００５】
【課題を解決するための手段】
上記目的を達成するために、請求項１の発明は、器具本体と、器具本体上部に設置され受光部を器具本体の表面に臨ませて周囲の明るさを検知する明るさセンサと、器具本体表面の下部に設置され器具本体の周囲を照らす光源と、検知エリア内の人の存否を検知する熱線センサと、前記明るさセンサ及び熱線センサの検知信号に基づいて前記光源を点灯させる点灯制御回路と、商用交流電源を充電源として充電される蓄電池と、前記明るさセンサと前記光源との間の前記器具本体内に設置され前記蓄電池を収納する蓄電池収納部と、商用交流電源の停電を検知すると前記蓄電池によって前記光源を点灯させる停電検知回路とを備え、前記器具本体に枢着され、前記器具本体の表面に開口した前記蓄電池の取り出し部を開閉自在に覆う蓄電池カバー部を設け、前記蓄電池カバー部の内部に、前記蓄電池カバー部の開閉操作により入／切される前記蓄電池の遮断スイッチを設けたものとした。
【０００６】
請求項２の発明は、請求項１記載の発明において、前記蓄電池収納部を、商用交流電源への接続部から離れた場所に設けたものとした。
【０００７】
請求項３の発明は、請求項１記載の発明において、前記蓄電池収容部は、蓄電池が嵌入され、蓄電池を仮保持する仮保持部を有するものとした。
【０００８】
請求項４の発明は、請求項３記載の発明において、前記器具本体は、ボディと該ボディに被着するカバーとで構成され、前記蓄電池の仮保持部を前記ボディ上に設け、前記仮保持部に収納された蓄電池を、前記ボディと前記カバーとで保持するものとした。
【００１０】
請求項５の発明は、請求項１記載の発明において、前記蓄電池カバー部を前記器具本体に枢着するヒンジを前記器具本体と一体で設けたものとした。
【００１１】
請求項６の発明は、請求項５記載の発明において、前記蓄電池の取り出し部を前記ヒンジから離れた場所に設けた物とした。
【００１２】
請求項７の発明は、請求項１記載の発明において、動作を停止して蓄電池の充電を行う状態と、前記点灯制御回路と前記停電検知回路の指示に従い動作する状態と、前記蓄電池を点検する状態とを選択する切替スイッチを備え、前記切替スイッチを前記器具本体の上部中央に設けたものとした。
【００１３】
【発明の実施の形態】
以下、本発明を一実施形態によって説明する。
【００１４】
図１〜３に示すように、本実施形態の保安灯の器具本体１は、前面が開口した略箱状の合成樹脂製のボディ１Ａと、ボディ１Ａの開口部分に被着されるボディカバー１Ｂとで構成される。ボディカバー１Ｂの背向する一対の側面には各々鍔部４０が突設されており、ボディ１Ａとボディーカバー１Ｂは、ボディカバー１Ｂの鍔部４０に左右２ヶ所ずつ設けられた結合用爪４２ａ〜４２ｄを、ボディ１Ａに設けた結合孔１２ａ〜１２ｄに係入することにより結合固定されて器具本体１を構成する。
【００１５】
また、鍔部４０には、合成樹脂製の２連型の取付枠８に設けられた係止孔８ａに着脱自在に係入する係止爪４１が夫々２対ずつ設けられており、一般の埋込型の配線器具と同様に合成樹脂製の取付枠８を用いて壁面に埋設したスイッチボックスや埋込穴に取りつけることができるようになっている。尚、ボディカバー１Ｂの両側面には、金属性の取付枠に取り付ける場合の取付部４３が各１対ずつ設けてある。
【００１６】
ボディ１Ａの内底面には、ＮｉＣｄ（ニッカド）電池等の蓄電池３を器具本体１に収納した際に蓄電池３が嵌入され蓄電池３を仮保持する蓄電池の仮保持部１１と、商用交流電源と接続するための電線が挿入される周知の速結端子（図示せず）を内部に備えたプリント基板ブロック２１を収納するブロック収納部１３と、プリント基板ブロック２１に取り付けられたプリント基板２を収納するプリント基板収納部１８とが夫々設けられている。
【００１７】
蓄電池の仮保持部１１は、隔壁１１ａによって、蓄電池３の形状に合わせて、蓄電池３の側面を包みこむように形成されており、蓄電池３の取り付けや交換を行う際に、嵌入された蓄電池３を仮保持し、蓄電池３の脱落を防止して容易に作業が行えるようになっている。仮保持部１１は、後述するボディカバー１Ｂの蓄電池挿通孔４５ａと合わせて、蓄電池３を保持する蓄電池収納部を構成する。
【００１８】
また、蓄電池の仮保持部１１は、後述するように器具本体１の上部に設置される明るさセンサ２８と器具本体の下部に設置される光源としてのＬＥＤ２２との間に配置されるように、器具本体１を壁面に取り付けた時の上下方向の中央より、やや下寄りの位置に配置されている。
【００１９】
さらに、蓄電池の仮保持部１１は、ボディ１Ａの側壁１７側に設けられたブロック収納部１３からできるだけ離れた位置の、側壁１６側に設けられており、商用交流電源への接続部となるプリント基板ブロック２１を収納するブロック収納部１３と蓄電池の収納部となる仮保持部１１とを離れた場所に設置することで、絶縁距離を十分に確保している。
【００２０】
ブロック収納部１３は、底部に露出孔１３ａを設けてあり、露出孔１３ａからプリント基板ブロック２１の凸部２１ｂを器具本体１の裏面に露出させるようにして、プリント基板ブロック２１を収納する。プリント基板ブロック２１の凸部２１ｂの表面には速結端子の電線挿入孔２１ａが設けられており、電線が挿入可能となっている。
【００２１】
ブロック収納部１３に、プリント基板ブロック２１が収納されると、同時に、プリント基板ブロック２１に取りつけられたプリント基板２が、プリント基板収納部１８へ配置される。
【００２２】
プリント基板２には、プリント基板２をボディ１Ａに配置した際に、蓄電池の仮保持部１１を逃がすための切り欠き２４が設けられており、中央片２ｃと、両対向片２ａ，２ｂとからなる略コ字状に形成され、表面に本保安灯の動作を切り替える切替スイッチＳＷ１と、焦電素子を具備して人体から放射される熱線により検知エリア内の人の存否を検知する熱線センサ２７と、ＣｄＳのような光電変換素子を具備して周囲の明るさを検知する明るさセンサ２８と、蓄電池３を商用交流電源から遮断する遮断スイッチＳＷ２と、蓄電池３のコネクタ３１とプリント基板２とを接続するコネクタ受部２５と、複数（本実施形態では６個）のＬＥＤ２２からなる光源等が実装されている。
【００２３】
切替スイッチＳＷ１は、本保安灯の動作を、“停止状態（充電状態）”と、“通常状態”と、“点検状態”とに切り替えるもので、器具本体１を壁面に取りつけた時に器具本体１の上部中央の位置にくるように、プリント基板２の一方対向片２ａの端部に設けられている。
【００２４】
熱線センサ２７と明るさセンサ２８は、器具本体１を壁面に取り付けた際に器具本体の上部となるプリント基板２の一方対向片２ａ上に配置され、ＬＥＤ２２は、器具本体１を壁面に取り付けた際に器具本体の下部となる他方対向片２ｂ上にＬＥＤ支持台２３を介して配置され、プリント基板２がボディ１Ａに配置された際に、明るさセンサ２８とＬＥＤ２２とが蓄電池の仮保持部１１を隔てて配置されるようになっており、明るさセンサ２８とＬＥＤ２２とを離れた場所に設置することで、明るさセンサ２８の誤動作を低減している。また、光源として、長寿命であるＬＥＤ２２を用いることで、光源の交換がほとんど不要となり、メンテナンスが容易となる。
【００２５】
遮断スイッチＳＷ２は、蓄電池３を交換する際などに、蓄電池３を商用交流電源から遮断して感電などを防止するためのもので、ボディカバー１Ｂに被着される蓄電池カバー６の開閉操作によって遮断スイッチＳＷ２が入／切されるように、遮断スイッチＳＷ２の操作部２９がボディカバー１Ｂから突出するように高さを調整して、切り欠き２４の横のプリント基板２の中央片２ｃ上に設置される。
【００２６】
蓄電池のコネクタ受部２５は、遮断スイッチＳＷ２と共に蓄電池カバー６によって覆われるように、切り欠き２４のすぐ横に設けられている。
【００２７】
ボディカバー１Ｂには、切替スイッチＳＷ１の操作部７がスライド自由に露出される矩形のスイッチ孔４８と、人体を検知する熱線センサ２７と明るさセンサ２８の受光部を器具本体１の前面に臨ませるセンサ窓４４ａを有する凹部４４と、蓄電池カバー６によって覆われる蓄電池交換部４５と、ＬＥＤ２２を前面に臨ませて透光性を有する合成樹脂によって形成された光源カバー５が嵌めこまれて装着される開口窓４６とが設けてある。
【００２８】
スイッチ孔４８は、器具本体１を壁面に取りつけた際に器具本体１の上部中央となる位置に設けられており、切替スイッチＳＷ１を操作する操作部７を器具本体１のどの方向からでも容易に操作できるようになっている。
【００２９】
センサ窓４４ａは、外部の光（熱線を含む）を熱線センサ２７や明るさセンサ２８の受光部に集光するためのフレネルレンズからなるレンズ４１によって閉塞される。レンズ４１は、熱線センサ２７や明るさセンサ２８を覆うようにしてプリント基板２上に載置されるレンズ支持枠４によって支持されている。
【００３０】
蓄電池交換部４５は、器具本体１に開閉自在に枢着される蓄電池カバー６によって覆われ、ボディ１Ａに設けられた蓄電池の仮保持部１１へ蓄電池３を収納する為の蓄電池挿通孔４５ａと、プリント基板２上に設けられた蓄電池３のコネクタ受部２５を器具本体１の表面に露出させるための露出孔４５ｄと、遮断スイッチＳＷ２を内部に収納し遮断スイッチＳＷ２の操作部２９のみを外部に突出させる開口孔４５ｅを備えた中空の遮断スイッチ収納部４５ｃとを備えている。
【００３１】
蓄電池挿通孔４５ａは、ボディ１Ａの蓄電池の仮保持部１１と共に蓄電池３を保持する蓄電池収納部を形成し、蓄電池挿通孔４５ａの内周壁の一側面に取り付けられた金属製のばね板４５ｂのばね力で、蓄電池３を蓄電池収納部の対向する内周壁に押さえつけ、脱落を防ぐようになっている。また、蓄電池挿通孔４５ａは、蓄電池３を交換する際などに蓄電池３を器具本体１から取り出す、取り出し部となる。
【００３２】
遮断スイッチ収納部４５ｃの開口孔４５ｅから突出した遮断スイッチＳＷ２の操作部２９は、蓄電池カバー６を閉じると、蓄電池カバー６によって押圧され、蓄電池３がプリント基板２と電気的に繋がった状態となり、蓄電池カバー６を開けると、操作部２９が開放され、蓄電池３とプリント基板２は電気的に遮断された状態となる。蓄電池カバー６の開閉操作により、蓄電池３の遮断が自動で行われるため、蓄電池の交換を行う際等に、蓄電池カバー６を開けると、蓄電池３が自動で遮断され、交換作業を安全に行うことができる。
【００３３】
また、遮断スイッチＳＷ２を蓄電池カバー６内の空いているスペースに設けたことで、遮断スイッチＳＷ２の設置のために特別な場所を必要とせず、装置を小型化できる。
【００３４】
蓄電池カバー６は、一側面の両端部から突出する一対の突出部６０に、対向するように軸部６０ａが夫々設けられており、ボディカバー１Ｂと一体で形成されたヒンジ４７の軸受け孔４７ａに、軸部６０ａを枢着させて、開閉自在に器具本体１に取り付けられる。
【００３５】
蓄電池カバー６を、ヒンジ４７で開閉自在に器具本体１に取り付けることで、蓄電池３の取り付けや交換の際に、蓄電池カバー６を取り外す必要がなくなり、外した部品を紛失する恐れもなくなる。また、ヒンジ４７をボディカバー１Ｂと一体で形成することで、ヒンジ４７の補強を図っている。また、ヒンジ４７を、蓄電池３の取り出し部となる蓄電池挿通孔４５ａから遠い側のボディカバー１Ｂの側面に設けて、蓄電池の交換の際にヒンジ４７が邪魔にならないようにしている。
【００３６】
次に、上記のように構成される保安灯の動作を図４を用いて説明する。
【００３７】
この保安灯は、図２（ａ）に示すように、切替スイッチＳＷ１により保安灯の動作を、動作を停止して蓄電池の充電を行う“切（充電）”状態と、後述する点灯制御回路と停電検知回路の指示に従い動作する“通常”状態と、蓄電池３を点検する“電池点検”状態とに切り替えられる。
【００３８】
まず、“切（充電）”状態を説明する。
【００３９】
切替スイッチＳＷ１で“切（充電）”を選択すると、図４中の切替スイッチＳＷ１が“ａ”の位置へと繋がる。この時、オペアンプやフリップフロップなどから構成される停電検知回路Ａは、ＯＮ／ＯＦＦ制御回路ＣをＯＦＦ制御する信号を出力し、それを受けたＯＮ／ＯＦＦ制御回路ＣはＯＦＦ制御状態となり、蓄電池３は、ＬＥＤ１〜６と遮断された状態となる。また、トランジスターＱ１が強制的にオンされるため、熱線センサ２７や明るさセンサ２８の出力を受けて点灯を制御する点灯制御回路Ｂの出力とは無関係に、トランジスタＱ２もオンされ、トランジスタＱ３はオフとなる。
【００４０】
よって、ダイオードブリッジＤＢやツェナーダイオードＺＤ１等によって直流定電圧に変換された商用交流電源ＡＣは、トランジスタＱ２やツェナーダイオードＺＤ２を通って蓄電池３へと流れ蓄電池３を充電する。この時、ＬＥＤ１〜６には電流が流れないため、ＬＥＤ１〜６は点灯しない。
【００４１】
次に、“通常”状態を説明する。
【００４２】
切替スイッチＳＷ１で“通常”状態を選択すると、図４中の切替スイッチＳＷ１が“ｂ”の位置へと繋がる。この時、停電検知回路Ａは、商用交流電源ＡＣからの出力を監視し、停電でなければ、ＯＮ／ＯＦＦ制御回路ＣをＯＦＦ制御する信号を出力し、それを受けたＯＮ／ＯＦＦ制御回路ＣはＯＦＦ制御状態となり、蓄電池３は、ＬＥＤ１〜６と遮断された状態となる。この時、トランジスタＱ１はオフのため、トランジスタＱ４は、点灯制御回路Ｂからの出力によって、ＯＮ／ＯＦＦが切り替えられる。
【００４３】
点灯制御回路Ｂは、明るさセンサ２８が検知した明るさが所定の明るさ以下の時に熱線センサ２７が人を検知すると、所定の時間トランジスタＱ４をオフし、それ以外の時は、トランジスタＱ４をオンしておく。
【００４４】
トランジスタＱ４がオフされると、それに伴いトランジスタＱ２がオフされ、トランジスタＱ３がオンされ、直流定電圧に変換された交流電源ＡＣは、トランジスタＱ３及びダイオードＤ３及び抵抗Ｒ３を通って、ＬＥＤ１〜６へと繋がり、ＬＥＤ１〜６が点灯する。
【００４５】
トランジスタＱ４がオンの時は、トランジスタＱ２がオンされ、トランジスタＱ３がオフされるので、ＬＥＤ１〜６は点灯せず、蓄電池３が充電される。
【００４６】
以上を整理すると、商用交流電源ＡＣが停電でない時は、明るさセンサ２８が検知した明るさが所定の明るさ以下で熱線センサ２７が人を検知すると、所定の時間ＬＥＤ１〜６が点灯し、それ以外の時は、蓄電池３が充電される。
【００４７】
一方、交流電源ＡＣが停電すると、停電検知回路Ａは、ＯＮ／ＯＦＦ制御回路ＣをＯＮ制御する信号を出力し、それを受けたＯＮ／ＯＦＦ制御回路ＣはＯＮ制御状態となり、蓄電池３は、ＬＥＤ１〜６と繋がれた状態となり、ＬＥＤ１〜６を強制的に点灯させる。
【００４８】
次に、“電池点検”状態を説明する。
【００４９】
切替スイッチＳＷ１で“電池点検”状態を選択すると、図４中の切替スイッチＳＷ１が“ｃ”の位置へと繋がる。この時、交流電源ＡＣは、停電検知回路Ａと遮断され、停電検知回路Ａは停電を検知した時と同じ状態となり、ＯＮ／ＯＦＦ制御回路ＣをＯＮ制御する信号を出力し、それを受けたＯＮ／ＯＦＦ制御回路ＣはＯＮ制御状態となり、蓄電池３は、ＬＥＤ１〜６と繋がれた状態となり、ＬＥＤ１〜６を強制的に点灯させる。この点検状態を選択することで、仮想的に停電状態を作り出し、この保安灯が停電時に正常に動作するかを確認することができる。
【００５０】
【発明の効果】
請求項１の発明は、器具本体と、器具本体上部に設置され受光部を器具本体の表面に臨ませて周囲の明るさを検知する明るさセンサと、器具本体表面の下部に設置され器具本体の周囲を照らす光源と、検知エリア内の人の存否を検知する熱線センサと、前記明るさセンサ及び熱線センサの検知信号に基づいて前記光源を点灯させる点灯制御回路と、商用交流電源を充電源として充電される蓄電池と、前記明るさセンサと前記光源との間の前記器具本体内に設置され前記蓄電池を収納する蓄電池収納部と、商用交流電源の停電を検知すると前記蓄電池によって前記光源を点灯させる停電検知回路とを備え、前記器具本体に枢着され、前記器具本体の表面に開口した前記蓄電池の取り出し部を開閉自在に覆う蓄電池カバー部を設け、前記蓄電池カバー部の内部に、前記蓄電池カバー部の開閉操作により入／切される前記蓄電池の遮断スイッチを設けたので、前記明るさセンサと前記光源との間に蓄電池収納部を設けることで、前記明るさセンサと前記光源とが遠ざけられ、前記明るさセンサの誤動作を低減することができるという効果がある。また、前記遮断スイッチを前記蓄電池カバー部の内部に設置することで、遮断スイッチの設置のための特別な場所を必要とせず前記器具本体を小型にでき、さらに、蓄電池の遮断が前記蓄電池カバー部の開閉操作により自動で行われるので、前記蓄電池カバー部を開けた際の対地電圧の対策ができるという効果がある。
【００５１】
請求項２の発明は、請求項１記載の発明において、前記蓄電池収納部を、商用交流電源への接続部から離れた場所に設けたので、前記蓄電池と商用交流電源への接続部との絶縁距離が十分に確保できるという効果がある。
【００５２】
請求項３の発明は、請求項１記載の発明において、前記蓄電池収容部は、蓄電池が嵌入され、蓄電池を仮保持する仮保持部を有するので、蓄電池の交換の際に、蓄電池の脱落が防止され、蓄電池の交換が容易に行えるという効果がある。
【００５３】
請求項４の発明は、請求項３記載の発明において、前記器具本体は、ボディと該ボディに被着するカバーとで構成され、前記蓄電池の仮保持部を前記ボディ上に設け、前記仮保持部に収納された蓄電池を、前記ボディと前記カバーとで保持するので、蓄電池の保持性が向上できるという効果がある。
【００５５】
請求項５の発明は、請求項１記載の発明において前記蓄電池カバー部を前記器具本体に枢着するヒンジを前記器具本体と一体で設けたので、前記ヒンジ部の補強ができるという効果がある。
【００５６】
請求項６の発明は、請求項５記載の発明において、前記蓄電池の取り出し部を前記ヒンジから離れた場所に設けたので、蓄電池の交換の際にヒンジが邪魔にならず、交換を容易に行えるという効果がある。
【００５７】
請求項７の発明は、請求項１記載の発明において、動作を停止して蓄電池の充電を行う状態と、前記点灯制御回路と前記停電検知回路の指示に従い動作する状態と、前記蓄電池を点検する状態とを選択する切替スイッチを備え、前記切替スイッチを前記器具本体の上部中央に設けたので、前記器具本体のどの方向からでもスイッチの切り替えが容易に行えるという効果がある。
【図面の簡単な説明】
【図１】本実施形態の保安灯の分解斜視図である。
【図２】（ａ）同上の上面図である。
（ｂ）同上の左側面図である。
（ｃ）同上の正面図である。
（ｄ）同上の右側面図である。
（ｅ）同上の下面図である。
（ｆ）同上の左断面図である。
【図３】（ａ）同上の蓄電池カバーを外した時の正面図である。
（ｂ）同上の裏面図である。
【図４】同上の回路図である。
【符号の説明】
１  器具本体
１Ａ  ボディ
１Ｂ  ボディカバー
２  プリント基板
３  蓄電池
５  光源カバー
６  蓄電池カバー
１１  仮保持部
２２  ＬＥＤ
２７  熱線センサ
２８  明るさセンサ
【図１】
0003988529.tif 000002
【図２】
0003988529.tif 000003
【図３】
0003988529.tif 000004
【図４】
0003988529.tif 000005